(57)【特許請求の範囲】
【請求項１】
移動体通信システムの基地局であって、
前記移動体通信システムの移動局を宛先としたメッセージを格納する記憶部と、
前記記憶部に格納しているメッセージの宛先となる移動局が、前記基地局に対して位置登録している場合または位置登録した場合に、当該メッセージを前記移動局に送信する送信部と、
を備え、
前記メッセージは、該メッセージを前記移動局が報知するタイミングとして、前記移動局が前記基地局を検出できなくなってからの経過時間を含む、
ことを特徴とする基地局。
【請求項２】
移動体通信システムの基地局から当該基地局に格納されている自移動局宛のメッセージを受信する受信部と、
前記受信部により受信したメッセージを格納する記憶部と、
前記メッセージを受信した基地局が検出できなくなると、当該基地局から受信して前記記憶部に格納した前記メッセージを報知するように制御する制御部と、
を備え、
前記メッセージは、該メッセージを前記自移動局が報知するタイミングとして、前記基地局を検出できなくなってからの経過時間を含み、
前記制御部は、前記時間の経過後に、前記メッセージを報知するように制御する、
ことを特徴とする移動局。
【発明の詳細な説明】
【技術分野】
【０００１】
本発明は、基地局および移動局に関し、特に、移動局を有するユーザが所定の基地局の圏外になってから適切なタイミングで伝言メッセージを伝達することのできる基地局および移動局に関する。
【背景技術】
【０００２】
近年、移動体通信用の機器、特に携帯電話端末は急速に普及し、人口がある程度あるエリアはほとんどカバーされるようになった。しかしながら、家屋や建物の内部の空間や立地状況が悪い場所では、通常の既存基地局（即ち、広域基地局）からの電波が届かず圏外となったり、電波が弱く通信が安定しなかったりするエリアが存在している。このような圏外となるエリアをカバーするものとして、出力電力が小さく、半径数メートル〜数１０メートル程度のセル（サービスエリア）を提供する小型基地局が開発されている。このような超小規模のセル自体、或いは、当該セルを提供する小型基地局をフェムトセルと称する。（非特許文献１を参照されたい。）フェムトセルは、セルラー網（携帯電話網、セルラーネットワーク）に接続するために、各家庭に引込まれているＡＤＳＬ、光回線（ＦＴＴＨ）などのブロードバンド回線（一般加入者回線）を利用することが想定されている。
【０００３】
一般家庭やオフィスにおいては、光回線、ＡＤＳＬなどのブロードバンド回線の常時接続が普及しているため、フェムトセルと移動体通信端末を接続する環境（即ちバックボーン）は整いつつある。さらに、通信事業者としては、フェムトセルおよびブロードバンド回線の利用によって、本来消費されるはずであった通常の既存基地局の帯域を使わずに済むというメリットもある。さらに、２００８年２月、総務省により、フェムトセルに関するそれ以前の規制緩和の方針が発表された。これを受け、一部の携帯電話事業者で既にビジネスプランが発表されているように、フェムトセルの本格的な開発及び使用がさらに進むことが考えられる。
【０００４】
ここで、一般家庭やオフィスにおいて、家族間または社員間で、自分が不在の間に相手に用件を伝える「伝言メッセージ（伝言メモ）」を残したい、という需要がよくある。例えば家庭において、母親は、自分の不在時に帰宅した子供や父親等、帰宅した誰かに、「ペットに餌をあげてね」、「洗濯物を取り込んでね」等の依頼を伝えたい場合がある。また、自宅内の用件だけでなく、帰宅後さらに外出する人物に対して、「忘れ物はないか」「２０時に帰りなさい」といった注意や、「ペットに餌をあげたか」といった、前述の自宅内の用件を行ったかどうかの確認を行ないたい場合がある。オフィスにおいても、例えば出張に向かう人物に対して、持ち物や、出張前に依頼しておいた事の確認を行ないたい場合がある。すなわち、用件を依頼した人物が用件を行なうべき場所から離れるときに、確認や注意をする意味での伝言メッセージの需要が多々ある。
【０００５】
これらの伝言メッセージを伝える場合、伝言の書かれたメモ紙を用いたり、例えばオフィスでは、社内グループウェアを活用したりすることが考えられる。また、従来技術に、留守番電話機を利用するものが開示されている（特許文献１を参照されたい。）。図１２に、この従来技術による留守番電話機のブロック図を示す。この従来技術による留守番電話機は、伝言メッセージの再生時刻をあらかじめ設定して、伝言メッセージと共にメモリに格納しておく。そして、留守番電話機は、指定された再生時刻になると伝言メッセージを再生する。
【０００６】
【非特許文献１】ｈｔｔｐ：／／ｅ−ｗｏｒｄｓ．ｊｐ／ｗ／Ｅ３８３９５Ｅ３８２Ａ７Ｅ３８３Ａ０Ｅ３８３８８Ｅ３８２ＢＢＥ３８３ＡＢ．ｈｔｍｌ
【特許文献１】特開平６−２０５０９９号公報
【発明の開示】
【発明が解決しようとする課題】
【０００７】
しかしながら、メモ紙の場合は、用件を伝えたい相手がメモ紙に気づかないおそれもある。また、図１２に示す従来技術では、メッセージを通知したい人物（受取人）のスケジュールに基づき、メッセージを受取人に通知可能と予測される時刻を、再生時刻として予め設定すると考えられる。しかしながら、スケジュールの変更は多々生じえることであり、受取人が居ないにも係わらずメッセージが再生されるおそれがある。また、一旦メッセージの聞ける場所に居た受取人に対してメッセージを通知する前に、受取人が外出する（メッセージを聞けない場所に移動してしまう）おそれがある。さらに、受取人に外出先の用件を依頼するメッセージを通知することができても、外出するまでに時間が空いた場合、受取人は、メッセージの用件を忘れてしまうことも考えられる。即ち、伝言メッセージの受取人が伝言メッセージを聞いた時間・場所と、伝言メッセージの用件を確認すべき時間・場所との間にずれが生じることにより、伝言メッセージの用件に対する受取人の認識が薄れてしまう。もし、用件を確認すべき時間・場所でその用件を何者かに通知することができれば、当該用件が確実に実行される可能性が高まるが、そのような技術は開発されていない。
【０００８】
本願発明者は、上述した諸問題を解決するため、今後、普及が進むであろうフェムトセルを用いて、家庭やオフィスで需要の高い伝言メッセージの伝達システムを構築する手法に想到した。従って、本発明は、移動局（携帯端末装置）とフェムトセルとを用いて、一般家庭の家屋や小規模オフィスにおける伝言メッセージの伝達技法（伝言メッセージ処理装置として機能する基地局及び移動局）を提供することを目的とする。
【課題を解決するための手段】
【０００９】
上述した諸課題を解決すべく、第１の発明による基地局は、
移動体通信システムの基地局であって、
前記移動体通信システムの移動局を宛先としたメッセージを格納する記憶部と、
（前記移動体通信システムの移動局からの要求に基づき当該移動局を位置登録する処理部と、）
（通信回線を介して移動体通信システムと通信する通信部と、）
前記記憶部に格納しているメッセージの宛先となる移動局が、前記基地局に対して位置登録している場合または位置登録した場合に、当該メッセージを前記移動局に送信する送信部と、を備え、
前記メッセージは、該メッセージを前記移動局が報知するタイミングとして、前記移動局が前記基地局を検出できなくなってからの経過時間を含む、
ことを特徴とする。
【００１２】
また、第２の発明による移動局（携帯端末）は、
移動体通信システムの基地局から当該基地局に格納されている自移動局宛のメッセージを受信する受信部と、
前記受信部により受信したメッセージを格納する記憶部と、
前記メッセージを受信した基地局が検出できなくなると（前記メッセージを受信した基地局からの電波を受信できなくなると（ハンドオーバ、圏外、ロスト等））、当該基地局から受信して格納した前記メッセージを報知するように制御する制御部と、
を備え、
前記メッセージは、該メッセージを前記自移動局が報知するタイミングとして、前記基地局を検出できなくなってからの経過時間を含み、
前記制御部は、前記時間の経過後に、前記メッセージを報知するように制御する、
ことを特徴とする。
【００１４】
上述したように本発明の解決手段を装置（基地局および移動局）として説明してきたが、本発明はこれらに実質的に相当する方法、プログラム、プログラムを記録した記憶媒体としても実現し得るものであり、本発明の範囲にはこれらも包含されるものと理解されたい。
【発明の効果】
【００１５】
本発明によれば、メッセージの用件を適切なタイミングで用件を依頼したい人物に認識させることで、その用件が実行されない可能性を大幅に減少させることが可能となる。
【発明を実施するための最良の形態】
【００１６】
以降、諸図面を参照しながら、本発明の実施態様を詳細に説明する。最初に用語を説明する。「フェムトセル」とは、一般回線（ＡＤＳＬなどのブロードバンド回線）を介して移動通信網（セルラー網）に接続されている小型の基地局のことを言う。なお、以下では、移動局として携帯端末を想定して説明するが、本発明はこれに限られるものではないことに留意されたい。例えば、移動局としては、フェムトセルへの接続が可能であるならば、ＰＤＡ（パーソナルデジタルアシスタンス）、携帯ゲーム機、携帯オーディオプレーヤー、携帯ビデオプレイヤー、携帯電子辞書、携帯電子書籍ビューワーなどの携帯電子機器に幅広く本発明を適用することが可能である。
【００１７】
図１は、本発明の一実施態様によるフェムトセルのブロック図である。図に示すように、フェムトセルＦＡＰは、一般回線インターフェース部１１０、生成部１２０、無線部１３０、記憶部１４０、制御部１５０、入力部（ボタン、タッチパネル等）ＫＥＹ１、表示部（液晶ディスプレイ、有機ＥＬおよびＬＥＤディスプレイ等）ＤＩＳ１、アンテナＡＮＴ１、及びシステムバスＢＵＳを具える。また、制御部１５０は、登録部１５２及び処理部１５４を備える。アンテナ部ＡＮＴ１は、携帯端末と通信するための電波を送受信する。無線部１３０は、受信部１３２及び送信部１３４を備え、アンテナＡＮＴ１を介した携帯端末との無線通信（メッセージの送受信や音声通話を含む。）を行なう。入力部ＫＥＹ１は、フェムトセルＦＡＰを利用するユーザからの各種設定情報やメッセージ本文の入力を受け付ける。設定情報には、フェムトセルＦＡＰを利用する携帯端末の情報（端末ＩＤや電話番号等）が含まれる。生成部１２０は、入力部ＫＥＹ１を介したユーザの入力に基づきメッセージを生成する。記憶部１４０は、入力部ＫＥＹ１を介して入力された、又はアンテナＡＮＴ１、一般回線インターフェース部１１０を介して受信した設定情報やメッセージを格納する。表示部ＤＩＳ１は、記憶部１４０に格納された設定情報やメッセージ等を表示する。制御部１５０は、装置全体の制御を司る。また、一般回線インターフェース部１１０は、ルータ等を介して一般回線（ＡＤＳＬなどのブロードバンド回線）に接続されている。
【００１８】
制御部１５０は、フェムトセルＦＡＰを利用するユーザの情報、すなわち、フェムトセルＦＡＰを利用する少なくとも１つの携帯端末の情報（携帯電話番号、端末ＩＤなどの識別情報）を登録する登録部１５２と、携帯端末の位置登録要求を処理する処理部１５４とを具える。登録部１５２により登録された携帯端末の情報は、記憶部１４０にも格納される。
【００１９】
フェムトセルＦＡＰのユーザは、予め、フェムトセルＦＡＰの入力部ＫＥＹ１を用いて、一般回線インターフェース部１１０を介して、無線部１３０を介して、又はフェムトセルＦＡＰを購入した店舗等で、フェムトセルＦＡＰを利用する携帯端末の固有ＩＤ及び／又は携帯電話を登録する処理を行なう。携帯端末のユーザには、フェムトセルが設置された建造物に出入りする者（家族やヘルパー等）を含むことができる。登録された携帯端末は、フェムトセルＦＡＰへの位置登録がされると、フェムトセルＦＡＰを介した無線通信が可能となる。
【００２０】
図２は、本発明の一実施態様による携帯端末のブロック図である。図に示すように、携帯端末ＡＴは、音声制御部２２０、ベースバンド部２３０、無線部２４０、記憶部２５０、端末全体の制御を司る制御部（例えば、ＣＰＵなど）２６０、スピーカＳＰ、表示部ＤＩＳ２、入力部（キー、ボタンなど）ＫＥＹ２、アンテナＡＮＴ２、振動部ＶＩ、及びシステムバスＳＢを具える。無線部２４０は、受信部２４２及び送信部２４４を備え、フェムトセルＦＡＰとのアンテナＡＮＴ２を介した無線通信を行ない、フェムトセルＦＡＰとメッセージを送受信する。制御部２６０は、フェムトセルＦＡＰへ送信するメッセージの生成や、フェムトセルＦＡＰとのメッセージのやり取りを制御する。また、制御部２６０は、フェムトセルＦＡＰへの位置登録要求の制御も行なう。音声制御部２２０は、携帯端末ＡＴの音声通話を制御する。ベースバンド部２３０は、ベースバンド信号の処理を行なう。記憶部２５０は、フェムトセルＦＡＰから受信したメッセージを格納する。表示部ＤＩＳ２は、フェムトセルＦＡＰから受信したメッセージを表示する。なお、受信したメッセージは、スピーカＳＰから音声で報知することもできる。入力部ＫＥＹ２は、ユーザによるメッセージを生成するための入力操作を受け付ける。制御部２６０は、受信したメッセージをユーザに報知するための制御を行なう。制御部２６０に含まれる比較部２６２は、受信したメッセージに含まれるタイミング情報と現在時刻とを、時刻管理部２６４の示す時刻に基づいて比較し、比較結果を制御部２６０へ通知する。振動部ＶＩは、例えば小型のモータ等を含み、携帯端末ＡＴを振動させる。
【００２１】
次に、メッセージを送信したいユーザ（差出人）がフェムトセルＦＡＰにメッセージを登録する処理について、図を用いて説明する。なお、以下では、携帯端末ＡＴ１をメッセージの差出人の携帯端末（差出端末）とし、携帯端末ＡＴ２をメッセージの宛先人の携帯端末（宛先端末）とする。図３〜６は、フェムトセルＦＡＰへの、差出人によるメッセージの登録処理を説明する概略図である。メッセージの登録方法としては、差出人が、自身の携帯端末ＡＴ１を用いてメッセージを作成し、当該メッセージを無線でフェムトセルＦＡＰへ送信する場合と、差出人が、フェムトセルＦＡＰの入力部ＫＥＹ１を用いて、直接フェムトセルＦＡＰへメッセージを入力する場合とが考えられる。まず、図３の概略図及び図４のフローチャートを用いて、前者の場合を説明する。メッセージの差出人（図示せず）は、差出人の携帯端末ＡＴ１を用いてメッセージＭＳＧ１を作成し、フェムトセルＦＡＰへ送信する（ステップＳ１１）。メッセージＭＳＧ１は、図３及び４に示すように、少なくとも「メッセージ種別」及び「情報要素」を含む。「メッセージ種別」は、当該メッセージの種類を示す情報であり、このメッセージが、伝言メッセージ、ショートメッセージサービスのメッセージ、電子メールメッセージ等の何れであるかを示す。「情報要素」は、発番号（差出人情報）、着番号（宛先情報）、メッセージ本文ＳＥＮＴＥＮＣＥ、タイミング情報Ｔ−ＩＮＦＯ等を含む。発番号・着番号は、端末ＩＤや電話番号等である。タイミング情報Ｔ−ＩＮＦＯは、当該メッセージを受信した端末において、当該メッセージを報知すべきタイミング（宛先端末がフェムトセルＦＡＰの電波を受信できなくなってからの経過時間や、報知すべき時刻）を示す情報である。なお、詳細は後述するが、タイミング情報Ｔ−ＩＮＦＯは必須とは限らない。フェムトセルＦＡＰは、携帯端末ＡＴ１から送信されたメッセージＭＳＧ１を受信し（ステップＳ１２）、記憶部１４０に格納する（ステップＳ１３）。なお、差出人が、作成したメッセージを一般回線インターフェース部１１０を介してフェムトセルＦＡＰに送信することも出来る。
【００２２】
次に、差出人が、フェムトセルＦＡＰの入力部ＫＥＹを用いて、直接フェムトセルＦＡＰへメッセージを入力する場合を、図５の概略図及び図６のフローチャートを用いて説明する。差出人Ｕ１が、フェムトセルＦＡＰの入力部ＫＥＹ１を用いて、メッセージＭＳＧ２を入力し、フェムトセルＦＡＰはメッセージＭＳＧ２を生成する（ステップＳ２１）。メッセージＭＳＧ２は、「発番号」、「着番号」、「メッセージ本文」及び「タイミング情報」を含む。さらに、「メッセージ種別：伝言メッセージ」を含んでもよい。なお、詳細は後述するが、タイミング情報Ｔ−ＩＮＦＯは必須とは限らない。メッセージＭＳＧ２を生成したフェムトセルＦＡＰは、記憶部１４０に、生成したメッセージＭＳＧ２を格納する（ステップＳ２２）。なお、メッセージＭＳＧ２を生成する項目において、「発番号」ではなく、入力ユーザの名前等を示すテキスト情報などの差出人情報でも良い。
【００２３】
次に、フェムトセルＦＡＰが、フェムトセルＦＡＰに格納されたメッセージＭＳＧ１（又はＭＳＧ２）を、当該メッセージを送信すべき携帯端末ＡＴ２に送信する処理について説明する。図７及び８は、フェムトセルＦＡＰの携帯端末ＡＴ２へのメッセージの送信処理を説明する概略図及びフローチャートである。
【００２４】
フェムトセルＦＡＰは、図３〜６で説明した処理によりメッセージを受信又は生成すると、携帯端末へのメッセージ送信処理を開始する。まず、制御部１５０は、処理部１５４が位置登録処理を行なった端末があるか否か（記憶部１４０に位置登録済みの端末の情報が格納されているか否か）を判定する（ステップＳ３１）。位置登録済みの端末があると判定された場合は、制御部１５０は、記録部１４０に格納されているメッセージの宛先である携帯端末が位置登録されているか否かを判定する（ステップＳ３４）。位置登録済みの携帯端末を宛先とするメッセージがあると判定された場合は、図７に示すように、そのメッセージ（ＭＳＧ１）を宛先の携帯端末ＡＴ２へと送信する（ステップＳ３５）。図７に示すように、フェムトセルＦＡＰによりメッセージが送信されると、宛先の携帯端末ＡＴ２は、その記憶部２５０に、「発番号」（メッセージの差出人）、「メッセージ本文」及び「タイミング情報」を含むメッセージＭＳＧ３を格納する。ステップＳ３１にて、位置登録済みの携帯端末がないと判定された場合、又はステップＳ３４にて、メッセージの宛先である携帯端末が位置登録されていないと判定された場合は、ステップＳ３２へ進み、処理部１５４は、携帯端末から位置登録要求があるか否かを判定する。ステップＳ３２にて、携帯端末から位置登録要求があると判定された場合は、ステップＳ３３にて、位置登録を受け付ける。
【００２５】
次に、フェムトセルＦＡＰからメッセージを受信した携帯端末ＡＴ２の、メッセージの再生処理の概略について図を用いて説明する。図９は、携帯端末ＡＴ２のメッセージ再生処理の一例のフローチャートである。まず、タイミング情報Ｔ−ＩＮＦＯがメッセージに含まれていない場合について説明する。制御部２６０は、フェムトセルＦＡＰの圏内であるか否か（フェムトセルＦＡＰの電波を受信できているか否か）を判定する（ステップＳ４１）。圏内でない（フェムトセルＦＡＰが検出できなくなると）と判定された場合は、制御部２６０は、記憶部２５０にメッセージが格納されているか否か、即ち、フェムトセルＦＡＰからメッセージを受信しているか否かを判定する（ステップＳ４２）。メッセージが記憶部に格納されていると判定された場合は、制御部２６０は、記憶部２５０からメッセージを読み出す（ステップＳ４３）。そして、スピーカＳＰや振動部ＶＩを制御して音声や振動を発生させ、メッセージを受信した旨を通知する（ステップＳ４４）。その後、制御部２６０は、フェムトセルＦＡＰから受信したメッセージを表示するように表示部ＤＩＳ２を制御して、メッセージを報知する（ステップＳ４５）。なお、メッセージの報知方法としては、表示部ＤＩＳ２へのテキストでの表示に限らず、スピーカＳＰから音声で出力することもできる。また、強制的に表示部ＤＩＳ２へメッセージ本文をテキスト表示させたり、スピーカＳＰから音声出力させたりしてもよいし、メッセージがあることを示すアイコンを表示させても良い。強制的に表示部ＤＩＳへ出力する場合は、ステップＳ４４にてメッセージがあることを通知した後に、ユーザから何らかの入力操作（例えば、メッセージを受信した旨を通知する振動や音声を停止させるための操作等）があった場合に表示するのが好適である。なお、上記メッセージは圏外と判定されて通知（報知）するものであるため、圏内時にメッセージを受信した際は通知（報知）しない方が好ましい。
【００２６】
このように、本実施例では、携帯端末ＡＴ２がフェムトセルＦＡＰの圏外となったときに（フェムトセルＦＡＰが検出できなくなると）、携帯端末ＡＴ２においてメッセージが報知される。即ち、携帯端末ＡＴ２のユーザがフェムトセルＦＡＰの圏外になった時に、即ち自宅又はオフィスから外出するまさしくその時に、メッセージを報知することができる。従って、メッセージの受取人が自宅又はオフィスに即座に戻ることができる時に、忘れ物や依頼された用件の確認を行なわせることができる。
【００２７】
次に、圏外になってから（フェムトセルＦＡＰが検出できなくなってから）所定時間経過後にメッセージを報知する実施例について説明する。上述の実施例では、宛先端末が圏外になった時点でメッセージが報知されるが、例えば、外出先での用件を依頼する場合等、メッセージの内容によっては、圏外になってから（外出してから）所定時間経過後にメッセージを報知したい場合も考えられる。この場合に、フェムトセルＦＡＰから携帯端末ＡＴに送信されるメッセージＭＳＧ１（又はＭＳＧ２）に、タイミング情報Ｔ−ＩＮＦＯを含めることができる。ここで、タイミング情報Ｔ−ＩＮＦＯについて説明する。図１０は、タイミング情報Ｔ−ＩＮＦＯの一例を示す図である。図に示すように、タイミング情報Ｔ−ＩＮＦＯには、携帯端末ＡＴが受信したメッセージを、携帯端末ＡＴがフェムトセルＦＡＰの圏外になってからいつ報知（再生／表示）するかを示す情報が含まれる。図の例では、タイミング情報Ｔ−ＩＮＦＯは、第１オクテットに、メッセージを「圏外になってから指定時間の経過後に再生するか否か」の情報を含む。さらに、第２オクテットに、第１オクテットで指示された処理を行なうのに必要な情報を含む。例えばタイミング情報Ｔ−ＩＮＦＯが「圏外になってから指定時間経過後に再生する」（二列目）場合、第２オクテットには、「指定時間」に関する情報が含まれる。
【００２８】
次に、フェムトセルＦＡＰからメッセージ（タイミング情報Ｔ−ＩＮＦＯを含む）を受信した携帯端末ＡＴ２の、メッセージの再生処理について図を用いて説明する。図１１は、携帯端末ＡＴ２のメッセージ再生処理の一例のフローチャートである。説明を分かり易くするために、図１１には、フェムトセルＦＡＰと携帯端末ＡＴ２との間の位置登録処理、及びフェムトセルＦＡＰのメッセージ送信処理のフローチャートを合わせて示す。
【００２９】
フェムトセルＦＡＰは、メッセージの差出端末からメッセージを受信すると、宛先の携帯端末（宛先端末）へのメッセージ送信処理（図１１、ステップＳ２０１〜Ｓ２０５）を開始する。この処理は、上述した図８のステップＳ３１〜Ｓ３５と同様であるため説明を省略する。メッセージの宛先端末ＡＴ２は、フェムトセルＦＡＰの圏内に入った場合等に、フェムトセルＦＡＰに位置登録を要求する（ステップＳ２０６）。制御部２６０は、フェムトセルＦＡＰに対して位置登録がされたか否かを判定する（ステップＳ２０７）。位置登録された場合は、フェムトセルＦＡＰから宛先端末ＡＴ２へメッセージが送信され（ステップＳ２０５）、受信部２４２は、フェムトセルＦＡＰから送信されたメッセージを受信する（ステップＳ２０８）。なお、携帯端末ＡＴ２は、ステップＳ２０７にて位置登録がされなかった場合、ステップＳ２０６へ戻り再度位置登録を要求するが、位置登録要求が所定の回数拒否された場合、フェムトセルＦＡＰへの位置登録要求を終了することもできる。
【００３０】
携帯端末ＡＴ２は、受信したメッセージを記憶部２５０に格納する（ステップＳ２０９）。次に、制御部２６０は、フェムトセルＦＡＰの圏内であるか否か（フェムトセルＦＡＰの電波を受信できているか否か）を判定する（ステップＳ２１０）。圏内でないと判定された場合は、制御部２６０は、記憶部２５０からメッセージを読み出し（ステップＳ２１１）、タイミング情報Ｔ−ＩＮＦＯの内容を判定する（ステップＳ２１２）。タイミング情報Ｔ−ＩＮＦＯが、「指定時間経過後に再生する」である場合は、ステップＳ２１３へ進み、比較部２６２は、圏外になってからの経過時間が、タイミング情報Ｔ−ＩＮＦＯにより示された指定時間を経過したか否かを判定する（ステップＳ２１３）。ステップＳ２１３にて、圏外になってからの経過時間が指定時間を超えた（指定時刻になった）と判定された場合、又はステップＳ２１２にて、タイミング情報Ｔ−ＩＮＦＯが、「指定時間の指定なし」である場合は、ステップＳ２１４へ進み、制御部２６０は、スピーカＳＰや振動部ＶＩを制御して音声や振動を発生させ、メッセージを受信した旨を通知する（ステップＳ２１４）。その後、制御部２６０は、フェムトセルＦＡＰから受信したメッセージを表示するように表示部ＤＩＳ２を制御して、メッセージを報知する（ステップＳ２１５）。なお、上記メッセージは圏外と判定されて通知（報知）するものであるため、圏内時にメッセージを受信した際は通知（報知）しない方が好ましい。
【００３１】
このように、メッセージを報知すべき時を指定する情報を含ませたメッセージを携帯端末に送信することで、メッセージの差出人は、フェムトセルの圏外になってから所望の時間（指定時間）にて宛先端末にメッセージを報知させることができる。従って、外出先の用件を依頼するにも関らず外出していない場合にメッセージを確認してしまう従来技術と異なり、メッセージの受取人が外出している際に確実にメッセージを通知することができ、用件が実行される可能性を高めることができる。なお、タイミング情報Ｔ−ＩＮＦＯにて指定する時間としては、圏外になってからの経過時間（すなわち、相対時間）ではなく、時刻（例えば、Ｔ時Ｍ分等）を指定することもできる。指定時刻がメッセージを受信した時刻を過ぎていた場合は、メッセージを受信した時点で通知するように制御を行なえばよい。本発明では、携帯端末がフェムトセルの圏内となった時点（例えば位置登録した時点）でフェムトセルによりメッセージが送信され、ユーザが常時携行する携帯端末にメッセージを保持させるため、フェムトセルの圏外時には通知するメッセージを記憶しており、受取人に確実に通知できる。
【００３２】
本発明の利点を再度説明する。本発明によれば、移動局（携帯端末装置）とフェムトセルとを用いて、一般家庭の家屋や小規模オフィスにおけるメッセージの通知技法（メッセージ処理装置として機能する基地局及び移動局）を提供することができる。従って、移動局を有するユーザへ適切な時間及び場所でメッセージを報知することが可能となり、メッセージの用件が実行されない可能性を大幅に減少させることができる。また、移動局へ報知すべき時（タイミング）を指定してメッセージを送信することができるため、メッセージの受取人が用件の実行を忘れる可能性を大幅に減らすことが可能となる。
【００３３】
本発明を諸図面や実施例に基づき説明してきたが、当業者であれば本開示に基づき種々の変形や修正を行なうことが容易であることに注意されたい。従って、これらの変形や修正は本発明の範囲に含まれることに留意されたい。例えば、各部、各手段、各ステップなどに含まれる機能などは論理的に矛盾しないように再配置可能であり、複数の手段やステップなどを１つに組み合わせたり、或いは分割したりすることが可能である。また、上述したフェムトセルの圏外とは、該フェムトセルの電波を受信できなくなる状態や、該フェムトセルから他の基地局へハンドオーバした状態なども含む。
【図面の簡単な説明】
【００３４】
【図１】本発明の一実施態様によるフェムトセルのブロック図である。
【図２】本発明の一実施態様による移動局のブロック図である。
【図３】フェムトセルへの無線によるメッセージの登録処理を説明する概略図である。
【図４】フェムトセルへの無線によるメッセージの登録処理を説明するフローチャートである。
【図５】フェムトセルへのキー入力によるメッセージの登録処理を説明する概略図である。
【図６】フェムトセルへのキー入力によるメッセージの登録処理を説明するフローチャートである。
【図７】フェムトセルＦＡＰの移動局へのメッセージの送信処理を説明する概略図である。
【図８】フェムトセルＦＡＰの移動局へのメッセージの送信処理を説明するフローチャートである。
【図９】本発明の一実施例による移動局のメッセージ通知処理のフローチャートである。
【図１０】タイミング情報Ｔ−ＩＮＦＯの一例を示す図である。
【図１１】本発明の一実施例による移動端末のメッセージ通知処理のフローチャートである。
【図１２】従来技術による留守番電話機のブロック図である。
【符号の説明】
【００３５】
ＦＡＰ  フェムトセル
１１０  一般回線インターフェース部
１２０  生成部
１３０  無線部
１３２  受信部
１３４  送信部
１４０  記憶部
１５０  制御部
１５２  登録部
１５４  処理部
ＫＥＹ１  入力部
ＤＩＳ１  表示部
ＡＮＴ１，ＡＮＴ２  アンテナ
ＡＴ，ＡＴ１，ＡＴ２  移動局（携帯端末）
２２０  音声制御部
２３０  ベースバンド部
２４０  無線部
２４２  受信部
２４４  送信部
２５０  記憶部
２６０  制御部
２６２  比較部
２６４  時刻管理部
ＳＰ  スピーカ
ＫＥＹ２  入力部
ＤＩＳ２  表示部
ＶＩ  振動部
ＭＳＧ１，ＭＳＧ２  メッセージ
【図１】
0004937963.tif 000002
【図２】
0004937963.tif 000003
【図３】
0004937963.tif 000004
【図４】
0004937963.tif 000005
【図５】
0004937963.tif 000006
【図６】
0004937963.tif 000007
【図７】
0004937963.tif 000008
【図８】
0004937963.tif 000009
【図９】
0004937963.tif 000010
【図１０】
0004937963.tif 000011
【図１１】
0004937963.tif 000012
【図１２】
0004937963.tif 000013